(57)【要約】【課題】構成のコンパクト化を図り、効率よく外気から充分な量の水分を捕集して、室内に対する加湿量を増加させた加湿機能を備える空気調和機を提供する。【解決手段】空気調和機Ｓの室外機Ｓｂは、筐体１内の仕切り板２下部に、圧縮機５、室外熱交換器６、室外送風機７を収容する冷凍サイクル室３、上部に加湿装置Ｋを収容する加湿室４を備え、上記加湿装置は、外気を導通させる吸着用通風路１２と、この吸着用通風路に一部を介在させて回転駆動され吸着用通風路に導かれる外気から水分を吸着する吸着回転体２１と、吸着用通風路に一部が密接し吸着回転体の残り一部を介在させて高温の熱交換用空気を導き吸着回転体に吸着された水分を熱交換用空気中に放出させて高湿高温化する再生用通風路１３と、熱交換用空気中の高湿分を室内へ搬送し放出させる加湿媒体搬送路１０とを備え、上記吸着回転体が介在する吸着用通風路と再生用通風路の密接部位は互いに水平方向に設けられ、吸着回転体は斜めに傾斜した姿勢に支持される。【選択図】    図２
2008249211.tif 000002
【特許請求の範囲】
【請求項１】
ヒートポンプ式冷凍サイクルを備えた室内機および室外機とからなる空気調和機において、
上記室外機は、
内部が仕切り板によって上下に仕切られる筐体と、
この筐体内の仕切り板下部に設けられ、圧縮機と、室外熱交換器と、この室外熱交換器に外気を導く室外送風機とを収容する冷凍サイクル室と、
筐体内の仕切り板上部に設けられ、加湿装置を収容する加湿室とを具備し、
上記加湿装置は、
外気を導通させる吸着用通風路と、
この吸着用通風路に一部が介在するとともに回転駆動され、上記吸着用通風路に導かれる外気から水分を吸着する吸着回転体と、
上記吸着用通風路に一部が密接して設けられ、この密接部分に上記吸着回転体の残り一部を介在させて高温の熱交換用空気を導き、吸着回転体に吸着された水分を熱交換用空気中に放出させて高湿高温化する再生用通風路と、
この再生用通風路における熱交換用空気の上記吸着回転体下流側に設けられ、熱交換用空気中の高湿分を室内へ搬送し、かつ放出させる加湿媒体搬送手段とを備え、
少なくとも、上記吸着回転体が介在する吸着用通風路と上記再生用通風路の密接部位は、互いに水平方向に設けられ、
上記吸着回転体は、斜めに傾斜した姿勢にして支持されることを特徴とする空気調和機。
【請求項２】
上記室外熱交換器への室外送風機による外気の取入れと、上記吸着用通風路への外気の取入れと、上記再生用通風路への熱交換空気の取入れは、いずれも同じ方向から行われるよう構成されることを特徴とする請求項１記載の空気調和機。
【発明の詳細な説明】
【技術分野】
【０００１】
本発明は、外気中に含まれる水分を捕集し、その水分を室内へ搬送して放出し、室内を加湿する加湿機能を備えた空気調和機に関する。
【背景技術】
【０００２】
特に、冬季においては外気温度が低下するばかりでなく湿度が低下することが多く、屋外では乾燥化する。室内においても少なからぬ影響を受けるので、加湿して室内の湿度を上げるのが理想である。室内に専用の加湿器を備えて作動すればよいが、頻繁に加湿用水（水道水）を補給する手間がかかり、面倒である。
【０００３】
そこで、手間がかからずに、確実に室内を加湿できる装置が求められている。たとえば、［特許文献１］には、この要望に応えて加湿機能を備えた空気調和機が開示されている。この発明は、外気中に含まれる水分を吸着し、この水分を室内へ搬送し、かつ放出して室内を加湿するようになっている。
【０００４】
具体的には、室外機内に回転駆動される吸湿部材を備えていて、この吸湿部材は外気中に含まれる水分を吸着する。そのあと、吸湿部材を加熱手段で加熱することにより、吸湿部材から吸着した水分を脱離させる。そして、加湿空気搬送手段が、上記吸湿部材から脱離した水分に空気を混合して室内機へ搬送する。
【特許文献１】特開２００２−３１７９８１号公報
【発明の開示】
【発明が解決しようとする課題】
【０００５】
ところで、［特許文献１］によると、圧縮機や室外熱交換器などの冷凍サイクル構成部品を収容する室の上部に、上記吸湿部材を備えた加湿水ユニットが設けられる。上記吸湿部材の支持姿勢について特に明細書には記載が無いが、図面上は水平に設けられていて、吸湿部材一部の下方に高湿空気の生成手段を構成する吸着ファンが配置される。
【０００６】
さらに、吸湿部材の残りの一部下方に放出部を構成する循環路の一部と脱離ファンが設けられ、これらと吸湿部材を介して対向する上方に循環路の一部と加熱ヒーターが設けられる。吸湿部材は水平方向に支持されているので、吸湿部材を垂直方向に立てた姿勢のものよりも、吸湿部材自体の高さ寸法がごく小さくてすむ。
【０００７】
しかしながら、吸湿部材の下方に吸着ファンと循環路の一部および脱離ファンが配置され、これら部品を吸湿部材と対向するように並置するところから、吸湿部材の直径が必然的に大となり、装置の大型化につながっている。  
また、吸湿部材の下部から上方へ抜けて空気を案内したあと、上部から下方へ空気を循環案内するようになっているので、循環路構成が複雑である。特に、吸湿部材の下部には結露用熱交換器をはじめとする水蒸気の結露手段を備えているので、吸湿部材は水平であっても、結露手段を備えることで加湿装置全体の高さ寸法が大になってしまう。
【０００８】
本発明は上記事情にもとづきなされたものであり、その目的とするところは、構成のコンパクト化を図り、効率よく外気から充分な量の水分を捕集して、室内に対する加湿量を増加させた空気調和機を提供しようとするものである。
【課題を解決するための手段】
【０００９】
上記目的を満足するため本発明は、ヒートポンプ式冷凍サイクルを備えた室内機および室外機とからなる空気調和機において、上記室外機は、内部が仕切り板によって上下に仕切られる筐体と、この筐体内の仕切り板下部に設けられ、圧縮機、室外熱交換器、この室外熱交換器に外気を導く室外送風機とを収容する冷凍サイクル室と、筐体内の仕切り板上部に設けられ加湿装置を収容する加湿室とを具備し、  
上記加湿装置は、外気を導通させる吸着用通風路と、この吸着用通風路に一部が介在するとともに回転駆動され吸着用通風路に導かれる外気から水分を吸着する吸着回転体と、吸着用通風路に一部が密接して設けられ密接部分に吸着回転体の残り一部を介在させて高温の熱交換用空気を導き吸着回転体に吸着された水分を熱交換用空気中に放出させて高湿高温化する再生用通風路と、この再生用通風路における熱交換用空気の吸着回転体下流側に設けられ熱交換用空気中の高湿分を室内へ搬送しかつ放出させる加湿媒体搬送手段とを備え、上記吸着回転体が介在する吸着用通風路と再生用通風路の密接部位は互いに水平方向に設けられ、吸着回転体は斜めに傾斜した姿勢に支持される。
【発明の効果】
【００１０】
本発明によれば、構成のコンパクト化を図り、効率よく充分な量の水分捕集ができ、室内に対する加湿量を増加させた空気調和機を提供できる。
【発明を実施するための最良の形態】
【００１１】
以下、本発明の実施の形態を、図面にもとづいて説明する。  
図１（Ａ）と図１（Ｂ）は、空気調和機Ｓの概略の構成図であり、室内に対する互いに異なる加湿構造を備えている。  
いずれの空気調和機Ｓも、室内機Ｓａと室外機Ｓｂとから構成される。上記室内機Ｓａは居室Ｍの壁面Ｈ高所に取付けられ、上記室外機Ｓｂは屋外Ｕに配置される。室内機Ｓａと室外機Ｓｂは、冷媒管およびケーブル類等を１本にまとめた連結部材Ｒによって互いに接続される。
【００１２】
いずれの室内機Ｓａも、筐体内に図示しない室内熱交換器と、この室内熱交換器と対向して配置される室内送風機を備えるとともに、筐体には吸込み口と吹出し口が設けられる。上記室内送風機を駆動することにより、居室Ｍの空気が吸込み口から筐体内に吸込まれ、上記室内熱交換器を流通したあと吹出し口から吹出されるようになっている。
【００１３】
図１（Ａ）に示す室内機Ｓａは、さらに加湿部Ｋａを収容している。この加湿部Ｋａは、後述する加湿装置Ｋから送られてくる高湿高温空気を、吹出し口から吹出される熱交換空気に混合させ居室Ｍへ放出する機能を有する。もしくは、加湿装置Ｋから送られてくる結露水を水蒸気に換えて熱交換空気に混合させ居室Ｍへ放出する機能を有する。
【００１４】
図１（Ｂ）に示す室内機Ｓｂは上記加湿部Ｋａを備えていないが、居室Ｍの床面に加湿器Ｋｂが配置される。この加湿器Ｋｂは、後述する加湿装置Ｋから送られてくる高湿高温空気を居室Ｍへ放出する機能を有する。もしくは、加湿装置Ｋから送られてくる結露水を水蒸気に換えて居室Ｍへ放出する機能を有する。
【００１５】
いずれの上記室外機Ｓｂも、筐体１内部が仕切り板２によって上下に仕切られる。仕切り板２下部には冷凍サイクル室３が形成され、上部には加湿室４が形成される。上記冷凍サイクル室３には、圧縮機５と、室外熱交換器６と、この室外熱交換器６と対向して室外送風機７が収容される。上記加湿室４には、加湿装置Ｋが収容される。
【００１６】
上記冷凍サイクル室３における圧縮機５と室外熱交換器６は、上記連結部材Ｒである冷媒管を介して上記室内機Ｓａの室内熱交換器と互いに連通する。すなわち、圧縮機５と、室外熱交換器６と、室内熱交換器と、図示しない減圧装置および四方切換え弁などは、冷媒管を介してヒートポンプ式冷凍サイクルを構成するように連通される。
【００１７】
上記室外熱交換器６と隣接する筐体１側面部には外気吸込み口８が設けられ、室外送風機７と対向する筐体１側面部には外気吹出し口９が設けられる。室外送風機７が駆動されることで、外気吸込み口８から吸込まれる外気が室外熱交換器６を介して外気吹出し口９に流通する。
【００１８】
上記加湿室４における加湿装置Ｋから加湿媒体搬送路（加湿媒体搬送手段）１０が筐体１外へ延出されている。図１（Ａ）に示す加湿媒体搬送路１０は、上記連結部材Ｒと一本化して室内機Ｓａ内の加湿部Ｋａに接続される。図１（Ｂ）に示す加湿媒体搬送路１０は、連結部材Ｒ一部に沿ったあと居室Ｍ床面上に配置される加湿器Ｋｂに接続される。
【００１９】
つぎに、上記室外機Ｓｂの加湿室４に備えられる加湿装置Ｋについて詳述する。  
図２は室外機Ｓｂ一部の概略の縦断面図であり、併せて加湿装置Ｋの概略構成を模式的に示している。
【００２０】
加湿装置Ｋは、いずれもダクトからなる吸着用通風路１２と再生用通風路１３を備えている。これら吸着用通風路１２と再生用通風路１３は全面的に互いに上下に密に接し、かつ互いに水平方向に設けられる。すなわち、下部側に再生用通風路１３が位置し、上部側に吸着用通風路１２が位置し、ともに直状をなす。
【００２１】
吸着用通風路１２は、筐体１の一側部に設けられ屋外Ｕに対して開口する第１の外気導入部１４ａを有する。他側部は、筐体１の他側部に設けられ屋外Ｕに対して開口する第１の外気導出部１４ｂを有する。したがって、第１の外気導入部１４ａと第１の外気導出部１４ｂは互いに直状の両端位置にあって、互いに対向する。
【００２２】
再生用通風路１３は、上記吸着用通風路１２における第１の外気導出部１４ｂの下部側に第２の外気導入部１５ａが設けられ、吸着用通風路１２における第１の外気導入部１４ａの下部側に第２の外気導出部１５ｂが設けられる。したがって、第２の外気導入部１５ａと第２の外気導出部１５ｂは互いに直状の両端位置にあって互いに対向する。
【００２３】
吸着用通風路１２における第１の外気導出部１４ｂの近傍部位には、吸着用送風機１７が配置されている。この吸着用送風機１７の駆動にともない、第１の外気導入部１４ａから屋外の空気である外気を吸着用通風路１２に導入し、かつ流通させてから第１の外気導出部１４ｂを介して屋外Ｕへ導出させることができる。
【００２４】
再生用通風路１３における第２の外気導出部１５ｂの近傍部位には、再生用送風機１８が配置される。また、第２の外気導入部１５ａの近傍部位には、ヒーターである空気加熱体２０が配置される。再生用送風機１８の駆動にともない、第２の外気導入部１５ａから外気を再生用通風路１３に導入し、空気加熱体２０に導くことができる。
【００２５】
そして、外気を第２の外気導出部１５ｂから導出させるが、この第２の外気導出部１５ｂには、上述した加湿媒体搬送路（加湿媒体搬送手段）１０が接続されている。すなわち、再生用通風路１３の第２の外気導出部１５ｂから導出される空気は、そのまま加湿媒体搬送路１０に導かれるようになっている。
【００２６】
吸着用通風路１２と再生用通風路１３の長手方向の略中央部に、吸着回転体２１が介設される。吸着回転体２１は一部が吸着用通風路１２に介在され、残りの一部は再生用通風路１３に介在される。そして、上記吸着回転体２１は各通風路１２，１３に対して斜めに傾斜した姿勢で支持され、図示しない回転駆動源に連結されている。
【００２７】
吸着回転体２１は、たとえば直径が２０〜３０ｃｍ、厚みが２〜３ｃｍ程度の円板状であり、３〜５ｒｐｍのゆっくりとした速度で回転駆動される。さらに、吸着回転体２１は一側面から他側面に亘って多数のハニカム状空気通路を備えていて、これら空気通路の表面にはゼオライト等の吸湿材が均一な厚みで担持される。  
上記吸湿材は、低温環境で空気中の水分を効率よく吸着し、高温環境では吸着した水分を円滑に脱離する特性を有する。
【００２８】
吸着回転体２１のハニカム状空気通路の形成方向と、吸着用通風路１２および再生用通風路１３の長手方向とは一致している。そのため、吸着用通風路１２と再生用通風路１３に通風があるとき、この空気流は吸着回転体２１の空気流通路を円滑に流通する。なお、吸着回転体２１は、全体を多孔質のゼオライトで構成するようにしてもよい。
【００２９】
このようにして構成される加湿装置Ｋを冬季に作動して居室Ｍ内を加湿するには、空気調和機Ｓとして暖房運転を行う。すなわち、室外機Ｓｂ内の圧縮機５を駆動し、ヒートポンプ運転を開始する。同時に、室外送風機７と室内送風機を駆動するとともに、吸着用送風機１７と再生用送風機１８および吸着回転体２１を駆動し、空気加熱体２０を発熱する。
【００３０】
圧縮機５は冷媒を圧縮し、高温高圧化した状態で吐出する。高温高圧となった冷媒は、室内機Ｓａ内の室内熱交換器に導かれ、ここで冷媒は凝縮されて吸込み口から吸込んだ室内空気に凝縮熱を放出する。室内送風機は高温化した室内空気を吹出し口から居室Ｍへ吹出し、室内温度が上昇する。すなわち、居室Ｍに対する暖房作用をなす。
【００３１】
一方、加湿装置Ｋにおいては、吸着用送風機１７の駆動により第１の外気導入部１４ａから吸着用通風路１２へ外気が導入され流通する。そして、外気は吸着回転体２１の一部に導かれてハニカム状空気流通路を流通し、ここに担持された吸湿材により外気中の水分が吸着・捕集される。
【００３２】
上記吸着回転体２１により水分が吸着・捕集された外気は、第１の外気導出部１４ｂから屋外Ｕへ排出される。また、再生用送風機１８の駆動により、第２の外気導入部１５ａから再生用通風路１３へ外気が導入される。その直後、外気は空気加熱体２０によって加熱され、温度上昇する。
【００３３】
高温化した外気は吸着回転体２１に導かれ流通する。吸着回転体２１は継続して回転していて、吸着用通風路１２に導かれる外気から水分を吸着し捕集した部分が、時間の経過とともに再生用通風路１３に対向する。再生用通風路１３に導かれる外気は空気加熱体２０により高温化しているから、吸着回転体２１を加熱する。
【００３４】
したがって、吸着回転体２１の空気流通路に担持されている吸湿材から、捕集されていた水分が脱離する。高温の空気が吸着回転体２１から流出したときには、高温空気中に充分な水分が含まれて、高湿高温状態に変る。この高湿高温の空気は再生用送風機１８と第２の外気導出部１５ｂを介して加湿媒体搬送路１０に導かれる。
【００３５】
先に図１（Ａ）（Ｂ）で説明した、加湿媒体搬送路１０と接続する加湿部Ｋａもしくは加湿器Ｋｂにおいては、加湿媒体搬送路１０から導かれる高湿高温の空気を直接的に居室Ｍ内に導く。したがって、居室Ｍ内における湿度が短時間で上昇し、乾燥化を防止して快適度の向上を得られる。
【００３６】
このように上記加湿装置Ｋは、外気から水分を吸着・捕集し、この水分を含んだ空気を居室Ｍ側へ送り、ここで放出して室内の加湿作用をなす。したがって、従来から用いられる加湿器と相違して加湿タンクに水を補給する手間等が不要となり、取扱いが容易である加湿装置Ｋを提供できる。
【００３７】
加湿装置Ｋを構成する吸着回転体２１は、吸着用通風路１２と再生用通風路１３の長手方向（水平方向）に対し斜めに傾斜して備えた。このことにより、吸着回転体２１は各通風路１２，１３に対する流通面積を充分に確保したうえに、加湿装置Ｋとしての高さ寸法を低く抑えてコンパクト化ができ、室外機Ｓｂの大型化を抑制する。
【００３８】
また、吸着用通風路１２と再生用通風路１３はともに直状に形成されているから、それぞれに配置される吸着用送風機１７と再生用送風機１８を駆動すれば、外気がそれぞれの通風路１２，１３を円滑に流通する。すなわち、吸着用通風路１２と再生用通風路１３の構成の簡素化により、送風効率の向上を得られる。
【００３９】
なお、上記実施の形態において、外気吸込み口８の上部に吸着用通風路１２における第１の外気導入部１４ａを設けていて、室外送風機７による外気の送風方向と、吸着用通風路１２の送風方向は同一である。これに対し再生用通風路１３においては、第２の外気導入部１５ａが室外送風機７と吸着用通風路１２の吹出し側に設けられている。
【００４０】
そのままでは、室外送風機７と吸着用通風路１２から吹出される外気を、再生用通風路１３の第２の外気導入部１５ａが吸込む、ショートサーキット現象が生じる虞れがある。しかも、室外送風機７と吸着用通風路１２から吹出される外気は乾燥状態にあり、再生用通風路１３に介在する吸着回転体２１の吸湿性能に影響する。
【００４１】
そこで、室外送風機７と吸着用通風路１２から吹出される外気を、再生用通風路１３の第２の外気導入部１５ａが吸込まないよう、第２の外気導入部１５ａの周囲にフードを設ける、あるいは第２の外気導入部１５ａを外気吹出し口９と第１の外気導出部１４ｂが設けられる面とは異なる筐体１側面部に設けるなど、ショートサーキット現象を確実に防止する必要がある。
【００４２】
これに対して、図３は、基本的にショートサーキット現象が生じないようにした、室外機一部の概略の構成図である。  
冷凍サイクル室３側に設けられる外気吸込み口８と外気吹出し口９は、先に図２で説明した位置と変りがない。吸着用通風路１２の第１の外気導入部１４ａと第１の外気導出部１４ｂの位置も変りがない。その一方で、再生用通風路１３においては、第２の外気導入部１５ａが吸着用通風路１２における第１の外気導入部１４ａの下部側で、外気吸込み口８の上部側に設けられる。
【００４３】
また、再生用通風路１３における第２の外気導出部１５ｂは吸着用通風路１２における第１の外気導出部１４ｂの下部側で、外気吹出し口９の上部側に設けられる。したがって、再生用通風路１３の第２の外気導入部１５ａと第２の外気導出部１５ｂは、図２で説明した構成と逆位置に設けられることになる。
【００４４】
なお説明すると、室外熱交換器６への室外送風機７による送風の外気の入口である外気吸込み口８と、吸着用通風路１２への外気の入口である第１の外気導入部１４ａおよび再生用通風路１３への熱交換空気の入口である第２の外気導入部１５ａは、いずれも室外機筐体１の同じ側面部に設けられている。
【００４５】
そのため、それぞれの通風路において、吸込み空気として新鮮な外気を吸込むことになり、いすれかの排気が他の通風路に吸込まれるようなショートサーキット現象が生じない。このため、室外熱交換器６での熱交換後の乾燥空気や吸着用通風路１２から吸湿後の乾燥空気が再生用通風路１３へ導かれることがなく、再生用通風路１３へは含有水分の多い外気を吸込むことができ、加湿性能を低下させることがない。
【００４６】
なお、上記空気加熱体２０は、専用のヒーターを用いるばかりでなく、空気調和機Ｓの電気回路を構成する圧縮機を駆動するインバータや、このインバータの電源側に設けられるリアクタを用いてもよい。さらに、上記圧縮機５の吐出側冷媒管に補助熱交換器を設けて、高温冷媒を導いてもよい。いずれにしても、それ自体の作用にともなって高温化するので、ランニングコストが低減できる。
【００４７】
さらに、上述の実施の形態における加湿装置Ｋは、吸着用通風路１２を上部に、再生用通風路１３を下部にして構成したが、これに限定されるものではない。吸着用通風路１２と再生用通風路１３を上下逆にして設けても、加湿装置Ｋとして構成の簡素化を得て、コンパクト化は阻害されない。
【００４８】
しかも、吸着用通風路１２の吸着用送風機１７を不用にして、室外送風機７で兼用化することもできる。すなわち、仕切り板２の室外送風機７近傍部位で、この吸込み側に、第１の外気導出部１４ｂである開口部を設ける。この第１の外気導出部１４ｂには、加湿装置Ｋの停止時に閉成し、運転時に開放するダンパを設けるとよい。
【００４９】
したがって、室外送風機７の送風作用にともない、開放された第１の外気導出部１４ｂを介して吸着用通風路１２が負圧化し、外気を円滑に吸着用通風路１２に導入して、ここでの送風量を確保できる。加湿装置ｋの停止時は、ダンパで第１の外気導出部１４ｂを閉成して、加湿装置Ｋへの塵埃の侵入を阻止する。
【００５０】
加湿媒体として高湿高温の空気を加湿部Ｋａもしくは加湿器Ｋｂに搬送するようにしたが、これに限定されるものではない。すなわち、再生用通風路１３において高湿高温の空気を得たあと、この空気を凝縮して結露水を生成し、加湿媒体搬送路１０を介して居室Ｍ側へ搬送するようにしてもよい。
【００５１】
この場合にも、吸着用通風路１２と再生用通風路１３は、全体的に高さ寸法を抑制して、加湿装置Ｋとしてコンパクト化を得る構成とすることは可能である。また吸着回転体２１はこれら通風路１２，１３に対して斜めに傾斜した姿勢で支持することは何ら変りがなく、したがって上記実施の形態と同一の効果を得ることは言うまでもない。
【００５２】
ただし、この構成では加湿部Ｋａもしくは加湿器Ｋｂにおいて、搬送されてきた結露水を加熱し、もしくは超音波を利用して水蒸気に換える手段が必要である。また、得られた水蒸気を強制的に居室Ｍへ放散し、短時間で湿度を低下させる手段を備えれば、さらに都合がよい。
【００５３】
なお説明すると、高湿高温の空気を凝縮して結露水を得るには、凝縮用熱交換器が必要となり、併せて結露水を受けるドレンタンクや、結露水を加湿部Ｋａ・加湿器Ｋｂへ揚水するポンプも必要となり、コストに影響が出ることはやむを得ない。換言すれば、上述のように高湿高温の空気をそのまま居室Ｍに搬送する構成であれば、より廉価に提供できる。
【００５４】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００５５】
【図１】本発明における実施の形態に係る、互いに異なる加湿構造を備えた空気調和機の概略構成図。
【図２】同実施の形態に係る、加湿装置を備えた室外機一部の概略縦断面図。
【図３】同実施の形態の変形例に係る、加湿装置を備えた室外機一部の概略縦断面図。
【符号の説明】
【００５６】
Ｓａ…室内機、Ｓｂ…室外機、Ｓ…空気調和機、２…仕切り板、１…筐体、５…圧縮機、６…室外熱交換器、７…室外送風機、３…冷凍サイクル室、Ｋ…加湿装置、４…加湿室、１２…吸着用通風路、２１…吸着回転体、１３…再生用通風路、１０…加湿媒体搬送路（加湿媒体搬送手段）。
【図１】
2008249211.tif 000003
【図２】
2008249211.tif 000004
【図３】
2008249211.tif 000005